(57)【特許請求の範囲】
【請求項１】
記録媒体に記録されたディジタル画像信号及び該ディジタル画像信号に付随する他の情報信号を再生する再生部を有する画像再生装置において、
前記再生部で再生された前記ディジタル画像信号及び前記他の情報信号を順次記憶する再生信号記憶手段と、
前記再生部の再生方向を反転する指示を行う反転再生指示手段と、
前記再生部により前記記録媒体から前記ディジタル画像信号を所定の方向に再生しているときに、前記反転再生指示手段により反転再生指示が供給された場合に、前記再生信号記憶手段に記憶されたディジタル画像信号及び前記他の情報信号を前記再生信号記憶手段からその記憶順とは逆方向より読み出し、出力し、逆転再生を行うとともに、前記再生部の動作を制御して、前記記録媒体を巻き戻した後、逆再生動作を行い、前記再生部の前記逆再生動作により再生されたディジタル画像信号と前記再生信号記憶手段から読み出されたディジタル画像信号とが一致したとき、出力ディジタル画像信号を前記再生信号記憶手段から読み出されるディジタル画像信号に代えて、前記再生部の逆再生動作により前記記録媒体から再生されるディジタル画像信号に切り換える再生制御手段とを有することを特徴とする画像再生装置。
【請求項２】
ディジタル画像信号を該ディジタル画像信号に付随する他の情報信号とともに記録媒体に記録するとともに、該記録媒体に記録された該ディジタル画像信号及び他の情報信号を再生する記録／再生部を有する画像記録／再生装置において、
前記ディジタル画像信号及び前記他の情報信号を記憶する記憶手段と、
前記記録部に前記ディジタル画像信号及び前記他の情報信号の前記記録媒体への記録開始／停止を指示する操作部と、
前記記録／再生部を再生時に再生方向を反転する指示を行う反転再生指示手段と、
前記操作部の記録開始／停止指示に応じて前記ディジタル画像信号及び他の情報信号の前記記憶手段への書き込み／読み出し、及び、前記記録／再生部の動作を前記記録媒体に記録する前記ディジタル画像信号に前記操作部の記録開始／停止指示から遅延がないように制御するとともに、前記記録／再生部により前記記録媒体から前記ディジタル画像信号を所定の方向に再生しているときに、前記反転再生指示手段により反転再生指示が供給された場合に、前記再生信号記憶手段に記憶されたディジタル画像信号及び前記他の情報信号を前記再生信号記憶手段からその記憶順とは逆方向より読み出し、出力し、反転再生を行うとともに、前記記録／再生部の動作を制御して、前記記録媒体を巻き戻した後、逆再生動作を行い、前記記録／再生部の前記逆再生動作により再生されたディジタル画像信号と前記再生信号記憶手段から読み出されたディジタル画像信号とが一致したとき、出力ディジタル画像信号を前記再生信号記憶手段から読み出されるディジタル画像信号に代えて、前記記録／再生部の逆再生動作により前記記録媒体から再生されるディジタル画像信号に切り換える記録／再生制御手段とを有することを特徴とする画像記録／再生装置。
【請求項３】
前記記録／再生制御手段は、前記操作部の操作に応じて前記記録／再生部に記録開始指示が供給されたときに、前記ディジタル画像信号及び前記他の情報信号の前記記憶手段への書き込みを行い、前記記録／再生部が前記記録媒体への信号の記録が可能な状態になってから前記記憶手段に記憶された前記ディジタル画像信号及び前記他の情報信号を読み出し、前記記録／再生部に供給することを特徴とする請求項２記載の画像記録／再生装置。
【請求項４】
前記記録／再生制御手段は、前記操作部の操作に応じて前記記録／再生部に記録停止指示が供給されたときに、前記記憶手段への書き込みを停止し、前記記憶手段に記憶された前記ディジタル画像信号及び前記他の情報信号が読み出された後、前記記録／再生部の記録動作を停止させることを特徴とする請求項２又は３記載の画像記録／再生装置。
【請求項５】
前記記録／再生制御手段は、前記操作部の操作に応じて前記記録／再生部に記録開始指示が供給されたときに、前記ディジタル画像信号及び前記他の情報信号の前記記憶手段への書き込みを行い、前記記録／再生部が前記記録媒体への信号の記録が可能な状態になってから所定の時間経過に前記記憶手段に記憶された前記ディジタル画像信号及び前記他の情報信号を読み出し、前記記録／再生部に供給することを特徴とする請求項２又は３記載の画像記録／再生装置。
【請求項６】
前記記録／再生制御手段は、前記操作部の操作に応じて前記記録／再生部に記録停止指示が供給されたときに、前記記憶手段への書き込みを停止し、前記記憶手段に記憶された前記ディジタル画像信号及び前記他の情報信号が全て読み出されてから所定の時間経過した後、前記記録／再生部の記録動作を停止させることを特徴とする請求項２又は４記載の画像記録／再生装置。
【請求項７】
前記ディジタル画像信号及び前記他の情報信号を圧縮する圧縮回路を有し、
前記記憶手段は、前記圧縮回路で圧縮された前記ディジタル画像信号及び前記他の情報信号を記憶することを特徴とする請求項２乃至６のいずれか一項記載の画像記録／再生装置。
【請求項８】
光学的動画像を前記ディジタル画像信号に変換するビデオカメラが一体に設けられたことを特徴とする請求項２乃至７のいずれか一項記載の画像記録／再生装置。
【発明の詳細な説明】
【０００１】
【発明の属する技術分野】
本発明はビデオレコーダに係り、特にＣＣＤなどの撮像素子を有するビデオカメラにより撮像され変換された映像信号を磁気テープ等の記録媒体にする記録部とから構成されるビデオレコーダに関する。
【０００２】
【従来の技術】
カメラ部と記録信号をデジタル符号化したいわゆるデジタルＶＣＲとを一体とした装置としては、例えば、特公平８−３２０１１号に記載されている。この種このような家庭用のデジタルＶＣＲは、１９９３年９月に発足した「ＨＤデジタルＶＣＲ協議会（Ｓｐｅｃｉｆｉｃａｔｉｏｎｓ  ｏｆ  Ｃｏｎｓｕｍｅｒ  Ｕｓｅ  Ｄｉｇｉｔａｌ  ＶＣＲｓ  ｕｓｉｎｇ  ６．３ｍｍｍａｇｎｅｔｉｃｔａｐｅ．ＨＤ  Ｄｉｇｉｔａｌ  ＶＣＲ  Ｃｏｎｆｅｒｅｎｃｅ．Ｄｅｃ．，１９９４．）」で標準化、規格化され、商品化されている。
【０００３】
また、これ以外にも８ｍ旧ＶＣＲなどのアナログ記録ＶＣＲが存在している。これらのＶＣＲとビデオカメラを一体化した、いわゆる、カメラ一体型ＶＣＲにおいては、磁気媒体をビデオヘッドにより磁化して記録するため、ビデオ信号のような広帯域信号を記録する場合には相対速度を高速にする必要がある。
例えば、ビデオヘッドを取り付けた回転ドラムの回転速度はデジタルＶＣＲの場合は約９０００ｒｐｍにもなる。このため、即座に撮影を開始するためには、回転ドラムを回転させたままにしておき、スタート・ストップ・ボタンが押されると同時に別のモータにより磁気テープを走行させる、いわゆるスタンバイ・モードが不可欠であった。このスタンバイモードに入る時には、テープの頭出し動作が必要な場合がある。
【０００４】
これは以前に撮影した部分とのフレーム連統性を確保するためにテープを若干巻き戻し、再生してフレームの区切り点で停止させておく動作である。これらの要因により、撮影チャンスが訪れることを予測して、実際の撮影開始以前にスタンバイ状態にしておくことは操作上必須であった。
図６に従来の一例のブロック構成図を示す。
【０００５】
カメラ一体型ビデオレコーダ１００は、光学的動画像を信号に変換するビデオカメラと、ビデオカメラで変換された信号を磁気テープなどの媒体に記録するためのビデオレコーダとが一体に形成された構成とされている。カメラ一体型ビデオレコーダ１００は、主に、レンズ群１０１、ビデオカメラブロック１０２、シャッフル／デシャッフル回路１０３、圧縮／解凍回路１０４、誤り符号付加／誤り訂正回路１０５、ディジタルオーディオ回路１０６、サブコード発生／解読回路１０７、変復調回路１０８、記録再生アンプ１０９、記録再生用磁気ヘッド１１０、回転ドラム１１２、ドラムモータ１１３、キャプスタンモータ１１４、キャプスタン１１５、再生波形イコライザ１１６、再生ＡＴＦ検出回路１１７、キャプスタンサーボ回路１１８、ドラムサーボ回路１１９、ビデオ出力回路１２０、マイクＭＩＣからなり、磁気テープ１１１が収納されたテープカセットが装着され、磁気テープ１１１にビデオカメラで撮像された動画、及び、マイクＭＩＣで検出された音声などがディジタルデータとして記録される。
【０００６】
ここで、レンズ群１０１、及び、ビデオカメラブロック１０２はビデオカメラを構成しており、また、シャッフル／デシャッフル回路１０３、圧縮／解凍回路１０４、誤り符号付加／誤り訂正回路１０５、変復調回路１０８は、ディジタルＶＣＲの記録／再生系ＤＰＳ回路を構成する。
また、ディジタルオーディオ回路１０６は、マイクＭＩＣで検出された音声信号をディジタル音声データに変換するとともに、記録時はマイク入力信号を、再生時は再生オーディオ信号をオーディオ出力端子Ｔａに出力する回路を構成している。記録再生アンプ１０９、再生波形イコライザー１１６はデジタル変調信号を磁気テープ１１１に記録／再生する回路を構成する。また、ビデオＤ／Ａ変換出力回路は再生デジタル映像信号をアナログ信号に変換する回路である。再生ＡＴＦ検出回路１１７、キャプスタンサーボ回路１１８、ドラムサーボ回路１１９は、テープ、ヘッド機構系の制御回路を構成している。
【０００７】
次に、図６のビデオレコーダの動作を説明する。
レンズ群１０１から入射した被写休光は、ビデオカメラブロック１０２内のＣＣＤ（図示せず）上に結像し電気信号に変換される。この信号はＡ／Ｄ変換され、同じくビデオカメラブロック１０２に内蔵されたＤＳＰ回路（図示せず）により、輝度信号と色信号が分離結合され、ＮＴＳＣ方式の輝度信号と色差信号に変換された後、ディジタルコンポーネント信号（ＣＣｌＲ−ＲＥＣ６０１で規定されている４：２：２コンポーネント信号）に変換され、シャッフル／デシャッフル回路１０３に供給される。この時点でのデータ転送レートは、量子化８ビットで２１６Ｍｂｐｓとされる。
【０００８】
シャッフル／デシャッフル回路１０３では、まず、色差信号が間引かれて４：１：１コンポーネント信号に変換される。ここで、データ転送レートは１６２Ｍｂｐｓとなる。そしてＹ、Ｒ−Ｙ、Ｂ−Ｙをそれぞれ８画素×８画素のブロックに分割する。
さらに、４Ｙ＋２（Ｒ−Ｙ，Ｂ−Ｙ）ブロックをひとまとめにしてマクロブロックとし、２７マクロブロックをもってスーパーブロックとされる。これにより１トラックは５つのスーパ一ブロックとされる。
【０００９】
１フレームはＮＴＳＣの場合１０トラックで構成され、１フィールドは５トラックで構成される。この１フィールド５トラック内でスーパーブロック単位でマクロブロックを一定の規則に従って１個抽出して５マクロブロックの固定長とする。すなわち、画面上のブロック位置を入れ替える。この時点では有効ブロックに制限されるため、１２５Ｍｂｐｓとなる。
【００１０】
このシャッフル信号が、次段の圧縮／解凍回路１０４に供給され、圧縮／解凍回路１０４で約１／５に圧縮され、約２５Ｍｂｐｓのデータ転送レートとされる。また、圧縮／解凍回路１０４では、シャッフルされたデータをデシャッフルし、圧縮ブロックが元の画面の位置に戻される。
圧縮／解凍回路１０４の出力データは、誤り符号付加／誤り訂正回路１０５に供給される。
【００１１】
誤り符号付加／誤り訂正回路１０５は、圧縮／解凍回路１０４の出力データはに誤り訂正符号を付加する。また、誤り符号付加／誤り訂正回路１０５には、ディジタルオーディオ回路１０６、サブコード発生／解読回路１０７からディジタルオーディオ信号、及び、サブコードデータも供給され、各々を時系列的に音声セクタ、映像セクタ、サブコードセクタの順にトラック毎に次段の変復調回路１０８に供給する。この段階での情報量は、誤り符号付加前で、映像２５Ｍｂｐｓ＋音声２Ｍｂｐｓ＋サブコード０．１５Ｍｂｐｓ＝約２７Ｍｂｐｓとなる。
【００１２】
変復調回路１０８では、これらのデータがスクランブルされ、２４−２５変調（特別のビットＥＢを付加したインターリーブドＮＲＺＩ変調）が施される。トラック毎にビットＥＢの「０」と「１」を選択することにより記録信号にＡＴＦトラッキング信号を重畳させる。これらの操作により最終的なデータ転送レートは４１．８５Ｍｂｐｓとなる。
【００１３】
この変復調回路１０８の出力データが記録再生アンプ１０９供給される。記録再生アンプ１０９は変復調回路１０８からのデータを増幅し、磁気ヘッド１１０に供給する。磁気ヘッド１１０は、記録再生アンプ１０９により増幅されたディジタルデータに応じて磁気テープ１１１を磁化し、ディジタルデータを磁気テープ１１１に磁気的に記録する。
【００１４】
なお、磁気ヘッド１１０は、回転ドラム１１２の円周上に取り付けられ、ドラムモータ１１３により毎分約９０００回転で回転する。また磁気テープ１１１は、キャプスタンモータ１１４により駆動されるキャプスタン１１５により長手方向に移送される。再生時の動作は、上述の記録時の動作の逆動作が行われる。  このようなビデオ一体型ビデオレコーダ１００では、記録を開始するためには次の２つの条件が成立していなければならない。
【００１５】
２つの条件とは、
（１）トラックの連続性を確保するための、プリトラッキング（頭出し）が出来ていることと、
（２）回転ドラムが定常回転に達していることである。
このため、実際に記録に入るまでに次の動作が必要となる。
【００１６】
磁気テープ１１１がすでにドラム１１２にローディング、すなわち、所定の角度にわったって巻回された状態とされ、かつ、ドラム回転→ショートリワインド→再生トラッキング動作→テープ停止、待機の手順で頭出しが行われている必要があり、この間、約１〜２秒の時間が必要となる（この時間を以後簡単のため立上時間と称する）。
【００１７】
この立上時間は撮影者が撮影をしたいと思って操作をしてから実際撮影が開始される間での時間としては長すぎる。そこで、スタンバイ・キーなるものを設けけ、これをオンして操作開始前に、ローディング及び頭出しが終了したスタンバイモードにしてすぐに操作に応じてすぐに撮影が開始可能としている。
スタンバイモードとは上記動作が完了し、ドラムが定常回転しており、テープが停止している状態である。従って、スタンバイ状態に入っていれば、上記の機器立ち上がり時間以降は、スタート・ストップ・ボタンを押すことにより、即記録に入ることができる。
【００１８】
【発明が解決しようとする課題】
しかるに、スタンバイモードは、回転ドラムが高速で回転するという、機器としては極めて消費電力の多い状態であるため、実際の撮影状態に近い電力を消費し、バッテリーの持続時間を減少させる大きな要因となっていた。
更に、スタンバイ・モードを設けても、記録終了後には、テープのオーバーランがあるために、次の撮影に備えて上記の動作が必要である。従って、スタート・ストップポタンを操作して撮影を終えた後、何らかの理由によりすぐ撮影を開始する事は、上記の動作が終了するまで（約２秒）は不可能であった。
【００１９】
本発明は上記の点に鑑みてなされたもので、カメラー体型ＶＣＲにおけるスタンバイ状態を不要としてこのスタンバイ状態の間に消費される電力を削減することにより、バッテリ持続時間を延長することを主目的とする。更にこれに付随し、撮影終了後、すぐに次の撮影ができるようにし、加えてスタート・ストップ・ボタンを押す以前からの画像をも記録することにより、撮影チャンスを逃さず所望のシーンを完全に収録することをも可能にしたビデオレコーダを提供することを目的とする。
【００２０】
【課題を解決するための手段】
本発明の請求項１は、記録媒体に記録されたディジタル画像信号及び該ディジタル画像信号に付随する他の情報信号を再生する再生部を有する画像再生装置において、
前記再生部で再生された前記ディジタル画像信号及び前記他の情報信号を順次記憶する再生信号記憶手段と、
前記再生部の再生方向を反転する指示を行う反転再生指示手段と、
前記再生部により前記記録媒体から前記ディジタル画像信号を所定の方向に再生しているときに、前記反転再生指示手段により反転再生指示が供給された場合に、前記再生信号記憶手段に記憶されたディジタル画像信号及び前記他の情報信号を前記再生信号記憶手段からその記憶順とは逆方向より読み出し、出力し、逆転再生を行うとともに、前記再生部の動作を制御して、前記記録媒体を巻き戻した後、逆再生動作を行い、前記再生部の前記逆再生動作により再生されたディジタル画像信号と前記再生信号記憶手段から読み出されたディジタル画像信号とが一致したとき、出力ディジタル画像信号を前記再生信号記憶手段から読み出されるディジタル画像信号に代えて、前記再生部の逆再生動作により前記記録媒体から再生されるディジタル画像信号に切り換える再生制御手段とを有することを特徴とする。
【００２１】
請求項１によれば、反転再生時に再生部の動作が逆再生動作になるまで、再生信号記憶手段に記憶されたディジタル画像信号及び他の情報信号を記録した順とは逆方向から読み出すことにより、反転してからすぐに逆再生画像を得られる。
【００２２】
請求項２は、ディジタル画像信号を該ディジタル画像信号に付随する他の情報信号とともに記録媒体に記録するとともに、該記録媒体に記録された該ディジタル画像信号及び他の情報信号を再生する記録／再生部を有する画像記録／再生装置において、
前記ディジタル画像信号及び前記他の情報信号を記憶する記憶手段と、
前記記録部に前記ディジタル画像信号及び前記他の情報信号の前記記録媒体への記録開始／停止を指示する操作部と、
前記記録／再生部を再生時に再生方向を反転する指示を行う反転再生指示手段と、
前記操作部の記録開始／停止指示に応じて前記ディジタル画像信号及び他の情報信号の前記記憶手段への書き込み／読み出し、及び、前記記録／再生部の動作を前記記録媒体に記録する前記ディジタル画像信号に前記操作部の記録開始／停止指示から遅延がないように制御するとともに、前記記録／再生部により前記記録媒体から前記ディジタル画像信号を所定の方向に再生しているときに、前記反転再生指示手段により反転再生指示が供給された場合に、前記再生信号記憶手段に記憶されたディジタル画像信号及び前記他の情報信号を前記再生信号記憶手段からその記憶順とは逆方向より読み出し、出力し、反転再生を行うとともに、前記記録／再生部の動作を制御して、前記記録媒体を巻き戻した後、逆再生動作を行い、前記記録／再生部の前記逆再生動作により再生されたディジタル画像信号と前記再生信号記憶手段から読み出されたディジタル画像信号とが一致したとき、出力ディジタル画像信号を前記再生信号記憶手段から読み出されるディジタル画像信号に代えて、前記記録／再生部の逆再生動作により前記記録媒体から再生されるディジタル画像信号に切り換える記録／再生制御手段とを有することを特徴とする。
【００２３】
請求項２によれば、記録時の操作部の記録開始／停止指示から遅延なく画像を記録する制御に、また、再生時には反転再生指示が供給されてから遅延なく逆再生画像が得る制御に共用して用いるので、回路規模を増大させることなく、操作性の良好な画像記録／再生装置を得ることができる。
【００２４】
請求項３は、前記記録／再生制御手段が前記操作部の操作に応じて前記記録／再生部に記録開始指示が供給されたときに、前記ディジタル画像信号及び前記他の情報信号の前記記憶手段への書き込みを行い、前記記録／再生部が前記記録媒体への信号の記録が可能な状態になってから前記記憶手段に記憶された前記ディジタル画像信号及び前記他の情報信号を読み出し、前記記録／再生部に供給することを特徴とする。
請求項３によれば、記録／再生部に記録開始を指示すると、ディジタル画像信号が記憶手段に順次記憶され、記録／再生部が記録媒体に記録可能となると、記憶手段に記憶されたディジタル画像信号を順次読み出し、記録／再生部により記録媒体に記録するため、記録指示を行った時点からのディジタル画像信号を記録媒体に記録でき、記録したい画像を記録可能となる。また、記録／再生部を常に記録可能な状態、すなわち、スタンバイ状態にしておく必要がないので、消費電力を低減でき、電池駆動した場合などに電池の持続時間をのばすことができる。
【００２５】
請求項４は、前記記録制御手段が前記操作部の操作に応じて前記記録／再生部に記録停止指示が供給されたときに、前記記憶手段への書き込みを停止し、前記記憶手段に記憶された前記ディジタル画像信号及び前記他の情報信号が読み出された後前記記録／再生部の記録動作を停止させることを特徴とする。
【００２６】
請求項４によれば、停止時には、停止指示がなされてから、まず、記憶手段へのディジタル画像信号の記憶を停止し、記憶手段に記憶されたディジタル画像信号が記録／再生部により記録媒体に記録されてから記録を停止することにより、停止指示が供給されるまでのディジタル画像信号を記録媒体に記録できる。
【００２７】
請求項５は、前記記録制御手段が前記操作部の操作に応じて前記記録／再生部に記録開始指示が供給されたときに、前記ディジタル画像信号及び前記他の情報信号の前記記憶手段への書き込みを行い、前記記録／再生部が前記記録媒体への信号の記録が可能な状態になってから所定の時間経過に前記記憶手段に記憶された前記ディジタル画像信号及び前記他の情報信号を読み出し、前記記録／再生部に供給することを特徴とする。
【００２８】
請求項５によれば、記録時に記録／再生部が記録媒体への信号の記録が可能な状態になってから所定の時間経過に記憶手段に記憶されたディジタル画像信号及び他の情報信号を読み出し記録を行うことにより、記録／再生部が確実に記録可能な状態となってから記録媒体への記録が行えるため、必要なディジタル画像信号を確実に記録媒体に記録できる。
請求項６は、前記記録制御手段が前記操作部の操作に応じて前記記録／再生部に記録停止指示が供給されたときに、前記記憶手段への書き込みを停止し、前記記憶手段に記憶された前記ディジタル画像信号及び前記他の情報信号が全て読み出されてから所定の時間経過した後、前記記録／再生部の記録動作を停止させることを特徴とする。
【００２９】
請求項６によれば、記憶手段に記憶されたディジタル画像信号及び他の情報信号が全て読み出されてから所定の時間経過した後、記録／再生部の記録動作を停止させることにより、記憶手段に記憶されたディジタル画像信号及び他の情報信号を確実に記録媒体に記録できる。
請求項７は、前記ディジタル画像信号及び前記他の情報信号を圧縮する圧縮回路を有し、
前記記憶手段が前記圧縮回路で圧縮された前記ディジタル画像信号及び前記他の情報信号を記憶することを特徴とする。
請求項７によれば、圧縮回路で圧縮されたディジタル画像信号及び他の情報信号を記憶することにより、記憶手段の記憶容量を削減できる。
【００３０】
請求項８は、光学的動画像を前記ディジタル画像信号に変換するビデオカメラが一体に設けられたことを特徴とする。
【００３１】
請求項８によれば、ビデオカメラにより、撮影したい部分から確実に画像を撮影でき、シャッターチャンスを逃すことなく撮影ができ、また、記録／再生部を常に記録可能な状態、すなわち、スタンバイ状態にしておく必要がないので、消費電力を低減でき、電池駆動した場合などに電池の持続時間をのばすことができる。
【００３３】
【発明の実施の形態】
図１に本発明の一実施例のブロック構成図を示す。同図中、図６と同一部分には同一符号を付し、その説明は省略する。
本実施例のカメラ一体型ビデオレコーダ１は、図６の圧縮／解凍回路１０４及びディジタルオーディオ回路１０６と誤り符号付加／誤り訂正回路１０５との間にメモリコントローラ１５２及びメモリ１５０を設けた構成とされる。
【００３４】
メモリコントローラ１５２は記録時に圧縮／解凍回路１０４の出力データをメモリ１５０に記録しつつ、誤り符号付加／誤り訂正回路１０５に供給する。メモリコントローラ１５２は、システムコントローラ１５３に接続されており、システムコントローラ１５３から供給される書き込み／読み込み指示信号に応じて圧縮／解凍回路１０４からの出力データのメモリ１５０への書き込み／読み出しを制御する。
【００３５】
システムコントローラ１５３には、記録開始／停止を指示するためのスタート・ストップボタン１５４が接続されている。システムコントローラ１５３は、スタート・ストップボタン１５４の操作に応じて後述するようにメモリコントローラ１５２に対して書き込み／読み出し指示信号を供給し、圧縮／解凍回路１０４の出力データのメモリ１５０への書き込みを制御する。また、システムコントローラ１５３は、制御系バス１５５を介してキャプスタンサーボ回路１１８、及び、ドラムサーボ回路１１９にも接続されており、キャプスタンモータ１１４、及び、ドラムサーボ１１３の回転開始を制御すると共に、キャプスタンモータ１１４、及び、ドラムサーボ１１３の回転状態を監視する。
【００３６】
圧縮／解凍回路１０４、ディジタルオーディオ回路１０６、メモリコントローラ１５２は、同一のバス１５１に接続される。バス１５１は、ＤＶＣ規格、「Specifications Of Consumer-User Digital ＶＣＲs using 6.3mm magnetic tape ( ＨＤ  DIGITAL ＶＣＲ  CONFERENCE），１１data structure for digital interface. 」に基づきビデオデータブロック中にオーディオデータブロックをパックした標準バス形式をとる。
【００３７】
図２に本発明の一実施例の標準バスの１トラック分のデータ構成図を示す。図２に示す標準バスは、一般にＤＩＦシーケンスと呼ばれる。
メモリコントローラ１５２はメモリ１５０に、サブコード、オーディオ、ビデオの各データを図２に示すような形式で収納する。なお、サブコードは、図２ではこの標準バス１５１とは別途経路でサブコード発生／解読回路１０７からメモリコントローラ１５２に供給され、メモリ１５０に格納される構成とされている。これは誤り符号付加／誤り訂正回路１０５におけるサブコードの誤り符号処理がオーディオ、ビデオデータとは異なるためで、効率良く処理を実施するために、バス１５１を分離させているもので、バス１５１で統一して扱うこともできる。
【００３８】
バス１５１を分離させることにより、メモリコントローラ１５２には記録すべきサブコード信号がサブコード発生／解読回路１０７から供給される。メモリコントローラ１５２は、メモリ１５０への書き込み／読み出し指示信号をシステムコントローラ１５３から得て、メモリ１５０のデータ蓄積時間を制御する。
図３に本発明の一実施例の記録時のシステムコントローラの動作フローチャート、図４に本発明の一実施例の記録時のタイミングチャートを示す。図４（Ａ）はスタート・ストップボタン１５４を操作した時にシステムコントローラ１５３に供給される信号、図４（Ｂ）はシステムコントローラ１５３からメモリコントローラ１５２に供給される書き込み指示信号、図４（Ｃ）はドラムモータの動作状態、図４（Ｄ）はキャプスタンモータの動作状態、図４（Ｅ）はシステムコントローラ１５３からメモリコントローラ１５２に供給される読み出し指示信号のタイミングを示す。
【００３９】
まず、時刻ｔ0 でスタート・ストップボタン１５４が操作されると、システムコントローラ１５３には図４（Ａ）の最初のパルスａが供給される。システムコントローラ１５３は、スタート・ストップボタン１５４からの最初のパルスａを認識すると、パルスａの立ち下がりの時刻ｔ1 でキャプスタンサーボ回路１１８、及び、ドラムサーボ回路１１９に動作指示を行うと同時に、メモリコントローラ１５２に、図４（Ｂ）の書き込み指示信号を立ち上げ、信号の立ち上がりｃから圧縮／解凍回路１０４、及び、ディジタルオーディオ回路１０６からのピデオ、オーディオ、サブコードなどのデータをメモリ１５０に書き込むよう指示する（ステップＳ１−１、Ｓ１−２、Ｓ１−３）。また、このとき、内部のタイマを起動して、記録可能となるまでの時間、すなわち、キャプスタンモータ１１４、及び、ドラムモータ１１３が定常動作状態になるまでの時間の計測を開始する（ステップＳ１−４）。
【００４０】
次に図４（Ｃ）のドラムモータ１１３がｅのように定常回転に達し、また、キャプスタンモータ１１４がテープ頭出し動作ｇ、ｈを終了すると、キャプスタンサーボ回路１１８、及び、ドラムサーボ回路１１９は、システムコントローラ１５３に制御系バス１５５を通じて、機器立ち上がり動作完了を知らせる。
システムコントローラ１５３は、キャプスタンサーボ回路１１８、及び、ドラムサーボ回路１１９から立ち上がり動作完了応答が供給されると、立ち上がり時間の計測を停止し、ステップＳ１−４からこのときまでの時間Ｔ1 を内部に保持するとともに、メモリコントローラ１５２に読み出し指示を与える（ステップＳ１−５、Ｓ１−６、Ｓ１−７）。
【００４１】
メモリコントローラ１５２は、システムコントローラ１５３からの読み出し指示に応じてメモリ１５０からステップＳ１−３、図４の時刻ｔ1 から書き込まれたデータを順次読み出す。メモリ１５０から読み出されたデータは、誤り符号付加／誤り訂正回路１０５、変復調回路１０８、記録再生アンプ１０９を介して磁気ヘッド１１０に供給され、磁気テープ１１１に記録される。
【００４２】
このように、メモリ１５０の蓄積時間は、変動幅の大きい機器立上時間Ｔ1 を実際に検出して設定され、固定長とはされていない。このため、変動の大きい機器立上時間Ｔ1 の変動によらず、動作させることができる。
次に、図４の時刻ｔ3 でスタート・ストップボタン１５４が操作され、図４（Ａ）に示すように再度パルスｂがシステムコントローラ１５３に供給されると、システムコントローラ１５３は再度パルスｂの立ち下がりの時刻ｔ4 で、図４（Ｂ）のメモリコントローラ１５２に供給する書き込み指示信号を立ち下げ（ｄ）メモリコントローラ１５２によるメモリ１５０への圧縮／解凍回路１０４、及び、ディジタルオーディオ回路１０６からのデータの書き込みを中止する（ステップＳ１−９）。
【００４３】
次に、システムコントローラ１５３は、今回の機器立上時間Ｔ１経過後の図４時刻ｔ5 で図４（Ｅ）の読み出し指示信号を立ち下げ（ｍ）、メモリ１５０にデータの読み出しの中止の指示を行う（ステップＳ１−１０、Ｓ１−１１、Ｓ１−１２）。また、システムコントローラ１５３は、キャプスタンサーボ回路１１８、及び、ドラムサーボ回路１１９に動作停止指示を供給する（ステップＳ１−１３）。
【００４４】
キャプスタンサーボ回路１１８は、システムコントローラ１５３から動作停止指示信号が供給されると、図４（Ｄ）ｉ，ｊのようにオーバランによる無記録ギャップを防止するためにテープ頭出し動作を行う。また、ドラムサーボ回路１１９は、キャプスタンサーボ回路１１８により頭出し動作が終了した時刻ｔ6 でドラムモータ１１３が停止され、図４（Ｃ）ｆに示すようにドラムモータ１１３の状態が停止状態へと移行する。
【００４５】
なお、メモリ１５０はデュアルポートＤＲＡＭなどで実現されており、メモリ１５０のメモリ容量は、機器立ち上がり時間（約２秒）に対して若干の余裕があれば良い。例えば、この最大時間を２．４秒に設定すると、前述の転送レート２７Ｍｂｐｓより、メモリ容量は、２７×２．４＝６４Ｍｂｉｔであるので、例えば、１６Ｍｂｉｔ  ＤＲＡＭ４個で構成できる。
【００４６】
このように圧縮後のデータを扱うのでメモリ容量を削滅できるが、ＤＶＣＲフォーマット通りの圧縮であり、メモリ１５０を通すことによる画質の劣化はない。
また、システムコントローラ１５３は、ワンチップ・マイクロコンピュータで実現する。メモリーコントローラ１５２は、メモリ１５０に図２に示すようなパック構造のデータの書き込み、読み出し及びデータのパッキング、デパッキンクを行うもので、ゲートアレーやＰＬＤで実現する。バス１５１は、８ピット幅でクロック周波数１０ＭＨｚ程度とする。
【００４７】
なお、再生時は、このメモリ１５０ヘの書き込みは行わないが、逆１倍再生時の機器立上時間の吸収などの同一趣旨の機能に流用することもできる。
図５に本発明の一実施例の逆一倍再生時のシステムコントローラの動作フローチャートを示す。
逆１倍再生時には、通常再生→停止→逆転再生のような機械動作があるため、通常再生から逆転再生に瞬時に移行することは出来ず、機器立上時間Ｔ1 （約１秒）を要する。
【００４８】
再生時にメモリ１５０に巡回的に再生データの書き込みを行っておき、逆１倍速再生ボタン１５６が押されると、システムコントローラ１５３は、メモリコントローラ１５２に読み出し指示を与え、メモリ１５０から時間的に逆方向にディジタル画像データを読み出す（ステップＳ２−１、Ｓ２−２、Ｓ２−３）。
次に、システムコントローラ１５３は、機器を再生から停止し、わずかに巻きも戻した後、逆再生を開始する（ステップＳ２−４、Ｓ２−５、Ｓ２−６）。
【００４９】
次に、システムコントローラ１５３は、メモリ１５０から読み出されてる再生データと磁気テープ１１を再生して得た再生データとのタイミングを検出して、両者が一致したとき、標準バス１５１を介して圧縮／解凍回路１０４、及び、ディジタルオーディオ回路１０６に供給する再生データをメモリ１５０から読み出された再生データから磁気テープ１１を再生して得た再生データに切り替えると同時に、メモリコントローラ１５２にメモリ１５０からの再生データの読み出し停止指示を供給する（ステップＳ２−７、Ｓ２−８、Ｓ２−９）。
【００５０】
このとき、ステップＳ２−５での磁気テープ１１１の巻戻時に、磁気テープ１１１をｄｔ時間分、余分に巻き戻し、メモリ１５０画面との同期をとって切り替えることにより、逆再生画像に乱れを生じさせることなく画像再生が可能となる。
上記本実施例によれば、従来のカメラー体型ＶＴＲで必要であった、スタンバイモードが不要となるので、このスタンバイモード中に消費される電力を節滅でき、電池の持続時間を伸ばすことができる。さらに、１つの撮影から、次の撮影に即時に入ることができるようになり、シャッターチャンスを逃すことがなくなる。
【００５１】
【発明の効果】
上述の如く、本発明の請求項１によれば、反転再生時に再生部の動作が逆再生動作になるまで、再生信号記憶手段に記憶されたディジタル画像信号及び他の情報信号を記録した順とは逆方向から読み出すことにより、反転してからすぐに逆再生画像を得られる等の特長を有する。
【００５２】
請求項２によれば、記録時の操作部の記録開始／停止指示から遅延なく画像を記録する制御に、また、再生時には反転再生指示が供給されてから遅延なく逆再生画像が得る制御に共用して用いるので、回路規模を増大させることなく、操作性の良好な画像記録／再生装置を得ることができる等の特長を有する。
【００５３】
請求項３によれば、記録／再生部に記録開始を指示すると、ディジタル画像信号が記憶手段に順次記憶され、記録／再生部が記録媒体に記録可能となると、記憶手段に記憶されたディジタル画像信号を順次読み出し、記録／再生部により記録媒体に記録するため、記録指示を行った時点からのディジタル画像信号を記録媒体に記録でき、記録したい画像を記録可能となる。また、記録／再生部を常に記録可能な状態、すなわち、スタンバイ状態にしておく必要がないので、消費電力を低減でき、電池駆動した場合などに電池の持続時間をのばすことができる等の特長を有する。
【００５４】
請求項４によれば、停止時には、停止指示がなされてから、まず、記憶手段へのディジタル画像信号の記憶を停止し、記憶手段に記憶されたディジタル画像信号が記録／再生部により記録媒体に記録されてから記録を停止することにより、停止指示が供給されるまでのディジタル画像信号を記録媒体に記録できる等の特長を有する。
【００５５】
請求項５によれば、記録時に記録／再生部が記録媒体への信号の記録が可能な状態になってから所定の時間経過に記憶手段に記憶されたディジタル画像信号及び他の情報信号を読み出し記録を行うことにより、記録／再生部が確実に記録可能な状態となってから記録媒体への記録が行えるため、必要なディジタル画像信号を確実に記録媒体に記録できる等の特長を有する。
請求項６によれば、記憶手段に記憶されたディジタル画像信号及び他の情報信号が全て読み出されてから所定の時間経過した後、記録／再生部の記録動作を停止させることにより、記憶手段に記憶されたディジタル画像信号及び他の情報信号を確実に記録媒体に記録できる等の特長を有する。
【００５６】
請求項７によれば、圧縮回路で圧縮されたディジタル画像信号及び他の情報信号を記憶することにより、記憶手段の記憶容量を削減できる等の特長を有する。
【００５７】
請求項８によれば、ビデオカメラにより、撮影したい部分から確実に画像を撮影でき、シャッターチャンスを逃すことなく撮影ができ、また、記録／再生部を常に記録可能な状態、すなわち、スタンバイ状態にしておく必要がないので、消費電力を低減でき、電池駆動した場合などに電池の持続時間をのばすことができる等の特長を有する。
【図面の簡単な説明】
【図１】本発明の一実施例のブロック構成図である。
【図２】本発明の一実施例で用いられるＤＶＣＲの標準バスのデータ構成図である。
【図３】本発明の一実施例の記録時のシステムコントローラの動作フローチャートである。
【図４】本発明の一実施例の記録時のタイミングチャートである。
【図５】本発明の一実施例の逆一倍再生時のシステムコントローラの動作フローチャートである。
【図６】従来の一例のブロック構成図である。
【符号の説明】
１  カメラ一体型ビデオレコーダ
１０１  レンズ群
１０２  ビデオカメラブロック
１０３  シャッフル／デシャッフル回路
１０４  圧縮／解凍回路
１０５  誤り符号付加／誤り訂正回路
１０６  ディジタルオーディオ回路
１０７  サブコード発生／解読回路
１０８  変復調回路
１０９  記録再生アンプ
１１０  磁気ヘッド
１１１  磁気テープ
１１２  ドラム
１１３  ドラムモータ
１１４  キャプスタンモータ
１１５  キャプスタン
１１６  再生波形イコライザ
１１７  再生ＡＴＦ検出回路
１１８  キャプスタンサーボ回路
１１９  ドラムサーボ回路
１２０  ビデオ出力回路
１５０  メモリ
１５１  バス
１５２  メモリコントローラ
１５３  システムコントローラ
１５４  スタート・ストップボタン
１５５  制御系バス
Ｔａ  オーディオ出力端子
Ｔｖ  ビデオ出力端子
【図１】
0003698224.tif 000002
【図２】
0003698224.tif 000003
【図３】
0003698224.tif 000004
【図４】
0003698224.tif 000005
【図５】
0003698224.tif 000006
【図６】
0003698224.tif 000007